(57)【要約】【課題】デジタル放送受信機で取得した制御データを使用者の入力操作に手間をかけることなく、情報家電に入力するデジタル放送利用システムを提供する。【解決手段】デジタル放送を受信して、データ放送に含まれる制御データをメモリカードに記憶させるデジタル放送受信機と、前記メモリカードに記憶された前記制御データを取得して、情報家電を操作する手段を備えたシステムである。デジタル放送受信機１１５は、受信部１１２で受信したデータ放送番組のコンテンツから、使用者がテレビリモコン１１４で入力した料理名と電子加熱調理器１０６の機種名に従って、所要の調理データをメモリカード１０７にダウンロードし、電子加熱調理器１０６は、メモリカード１０７からアップロードした料理データに従って、制御部１０２が負荷部１０１の出力レベルや加熱時間や加熱モードのシーケンスを制御して、食材を調理する。【選択図】        図１
2004184043.tif 000002
【特許請求の範囲】
【請求項１】
着脱可能な記録媒体を用いてデジタル放送を利用するデジタル放送利用システムにおいて、
デジタル放送を受信するデジタル放送受信機と、上記デジタル放送を利用して所定の機能を実行する利用装置とを備え、
上記デジタル放送受信機は、
デジタル放送を受信する受信部と、
上記記録媒体を装着し、上記受信部が受信したデジタル放送から上記利用装置が利用する制御データを抽出し、抽出した制御データを上記記録媒体へ記録する記録部と
を備え、
上記利用装置は、
上記所定の機能を実行する機能実行部と、
上記記録部から取りはずした上記記録媒体を装着し、上記記録媒体に記録された制御データを読み出す読み出し部と、
上記読み出した制御データに基づいて、上記機能実行部を制御して、上記所定の機能を実行させる制御部と
を備えることを特徴とするデジタル放送利用システム。
【請求項２】
上記デジタル放送受信機は、さらに、
上記利用装置の機種を特定する機種種別と、取得したいデジタル放送の種別を特定する放送種別とを入力する入力部を備え、
上記記録部は、受信したデジタル放送から、上記機種種別と上記放送種別とに適合する情報を制御データとして抽出することを特徴とする請求項１記載のデジタル放送利用システム。
【請求項３】
上記制御データは、上記機能実行部へ設定する設定値を含み、
上記機能実行部は、上記設定値を設定することによって上記所定の機能を実行し、
上記制御部は、上記制御データから上記設定値を抽出し、抽出した設定値を上記機能実行部へ設定し、上記所定の機能を実行させることを特徴とする請求項１または２記載のデジタル放送利用システム。
【請求項４】
上記利用装置は、電子調理器具であり、
上記機能実行部は、上記所定の機能として、複数の調理工程を実行し、
上記制御部は、上記制御データに基づいて、上記複数の調理工程それぞれを制御することを特徴とする請求項１から３いずれかに記載のデジタル放送利用システム。
【請求項５】
上記デジタル放送受信機は、携帯電話であり、
上記制御部は、上記読み出し部が読み出した制御データを上記機能実行部へ通知し、
上記機能実行部は、上記制御部から通知された制御データを操作画面に表示することを特徴とする請求項１または２記載のデジタル放送利用システム。
【請求項６】
デジタル放送受信機と、所定の機能を実行する利用装置とを備え、着脱可能な記録媒体を用いてデジタル放送を利用するデジタル放送利用方法において、
上記デジタル放送受信機は、
デジタル放送を受信し、
受信したデジタル放送から上記利用装置が利用する制御データを抽出し、
抽出した制御データを上記記録媒体へ記録し、
上記利用装置は、
上記記録媒体に記録された制御データを読み出し、
上記読み出した制御データに基づいて、上記所定の機能を実行させることを特徴とするデジタル放送利用方法。
【発明の詳細な説明】
【０００１】
【発明の属する技術分野】
この発明は、デジタル放送受信機を情報家電に接続し、受信機より取得した情報をもとに、情報家電を操作する制御システムに関するものである。
【０００２】
【従来の技術】
特開２００２−０９８３３８号公報（要約、第１図）に記述された従来例では、コンピュータサーバが、電子加熱調理器の加熱動作を制御するためのシーケンスおよび材料データを含む複数種類の料理データを格納して、端末から要求された条件（材料、特売品、食生活事情など）に該当する料理データを読出して端末に送信する。端末は、この料理データを受信して、カードスロット部に装着された記録媒体６に書込む。その後、記録媒体はカードスロット部７から取外されて電子加熱調理器のカードスロット部に装着される。電子加熱調理器では、記録媒体に記憶された所望料理データのシーケンスに基づいて加熱動作が制御されて、所望料理の加熱調理が行なわれる。
【０００３】
【特許文献１】
特開２００２−０９８３３８号公報
【０００４】
【発明が解決しようとする課題】
上記で述べた従来の技術においては、デジタル放送受信機から直接に制御データを情報家電に入力することはできず、一度、パソコン等の端末で放送番組が準備したホームページにアクセスして、制御データを取得することが必要で、使用者の入力操作に手間がかかるなどの問題点があった。
【０００５】
この発明は、上記のような問題点を解消するためになされたもので、情報家電を操作する際に、デジタル放送で取得した制御データをその都度手作業で入力し直す必要がなく、使用者に負担がかからないシステムを提供することを目的とする。
【０００６】
【課題を解決するための手段】
この発明に係るデジタル放送利用システムは、着脱可能な記録媒体を用いてデジタル放送を利用するデジタル放送利用システムにおいて、
デジタル放送を受信するデジタル放送受信機と、上記デジタル放送を利用して所定の機能を実行する利用装置とを備え、
上記デジタル放送受信機は、
デジタル放送を受信する受信部と、
上記記録媒体を装着し、上記受信部が受信したデジタル放送から上記利用装置が利用する制御データを抽出し、抽出した制御データを上記記録媒体へ記録する記録部と
を備え、
上記利用装置は、
上記所定の機能を実行する機能実行部と、
上記記録部から取りはずした上記記録媒体を装着し、上記記録媒体に記録された制御データを読み出す読み出し部と、
上記読み出した制御データに基づいて、上記機能実行部を制御して、上記所定の機能を実行させる制御部と
を備えることを特徴とする。
【０００７】
【発明の実施の形態】
この発明は、デジタル放送を受信して、デジタル放送（データ放送）に含まれる制御データ（デジタル情報）をメモリカードに記憶させるデジタル放送受信機と、上記メモリカードに記憶された上記制御データを取得して、情報を制御することができる利用装置（一例として、情報家庭電化製品、以下、「情報家電」ともいう）を操作する手段を備えたデジタル放送利用システム及びデジタル放送利用方法を提供するものである。
以下に、本発明の実施の形態を図面を参照して説明する。
【０００８】
実施の形態１．
実施の形態１では、デジタル放送を受信して、デジタル放送の一例としてデータ放送（料理番組）に含まれる調理データをメモリカードに記憶させるデジタル放送受信機と、上記メモリカードに記憶された上記調理データを取得して、電子加熱調理器を操作する手段を備えたデジタル放送利用システムについて説明する。
【０００９】
図１は、この発明の情報家電を接続するデジタル放送受信機の実施の形態の構成の一例として、電子加熱調理器を含んだシステムの構成図である。
図２は、本発明の実施の形態１に係る調理データの受信動作を示すチャートである。
【００１０】
図１のシステムは、データ放送（料理番組）の料理番組を使用者に提示するデジタル放送受信機１１５と、各種の加熱調理を行う電子加熱調理器１０６と、調理データ１５２を通信するメモリカード１０７から構成される。
【００１１】
デジタル放送受信機１１５は、受信部１１２、全体制御部１１１、表示部１１０、カードスロット部１０９、リモコン受信部１１３およびテレビリモコン１１４から構成される。
受信部１１２は、デジタル放送波を受信して、ビデオ（映像情報）、オーディオ（音声情報）およびデータ放送のコンテンツをデコードする。放送のコンテンツは、映像、音声、グラフィック画面（イメージ）、文字情報等から構成される。放送のコンテンツは、デジタル情報（デジタルデータ）として、取り扱える情報であればよい。
全体制御部１１１は、受信デジタル放送受信機内のデータフローを制御する。表示部１１０は、ビデオ、オーディオおよびデータ放送のコンテンツを表示する。
カードスロット部１０９は、メモリカード１０７に調理データ１５２を登録する。
リモコン受信部１１３は、テレビリモコン１１４からのユーザ操作を全体制御部に通知する。
デジタル放送受信機１１５は、受信部１１２で受信したデータ放送番組のコンテンツから、使用者がテレビリモコン１１４で入力した料理名（料理名入力１５０によって入力）と電子加熱調理器１０６の機種名（機種名入力１５１によって入力）に従って、所要の調理データ１５２（電子加熱調理器の加熱動作を制御するためのシーケンス）をメモリカード１０７にダウンロードし、これらのデータフローは全体制御部１１１によって制御される。
【００１２】
電子加熱調理器１０６は、負荷部１０１、制御部１０２、表示部１０３、操作部１０４およびカードスロット部１０５から構成される。
負荷部１０１は、電子加熱調理器１０６の庫内に格納された食材を加熱するためのマグネトロンに対応する。
制御部１０２は、負荷部１０１の出力レベルや加熱時間や加熱モードを所定のシーケンスデータに従って制御する。
表示部１０３は、電子加熱調理器１０６の制御状態、調理データに含まれる対応料理の料理名、作り方情報などを画面表示する。
操作部１０４は、調理時間や加熱モードを使用者が指定するために操作される。
カードスロット部１０５は、調理データ１５２をメモリカード１０７にアップロードする。
電子加熱調理器１０６は、メモリカード１０７からアップロードした料理データ１５２に従って、制御部１０２が負荷部１０１の出力レベルや加熱時間や加熱モードのシーケンスを制御して、食材を調理する。
【００１３】
なお、メモリカード１０７にダウンロードする情報（制御データ）の項目、情報の順番、情報の形式等は、予め定義されていることを前提とする。
また、上記情報の項目、情報の順番、情報の形式等は、情報家電の機種に対応させて定義されることを前提とする。
デジタル放送受信機が受信するデジタル放送から抽出される制御データは、上記情報の項目、情報の順番、情報の形式等に適応している情報であることを前提とする。
【００１４】
図３は、上記メモリカード１０７に記録される制御データの一例である。
図３に示した制御データは、制御部１０２によって解析される。制御部１０２は、解析結果に基づいて、負荷部１０１のシーケンスを制御する。
また、制御部１０２は、制御データを表示部１０３へ表示させることも可能である。
【００１５】
また、電子加熱調理器１０６は、複数の調理工程を実行する場合もある。
この場合、制御データは、調理工程の順番に従って、出力レベル（加熱温度）、加熱時間、加熱モード等を指定する情報を含む。
制御部１０２は、上記制御データに基づいて、負荷部１０１を制御することによって、複数の調理工程を順番に実行させる。制御部１０２は、複数の調理工程の順番と、複数の調理工程それぞれとを制御することになる。
また、電子加熱調理器１０６は、家庭用電化製品（電子調理器具）の一例である。電子調理器具は、電子を利用して調理する装置をいう。
【００１６】
このように、使用者は、料理名と機種名とをリモコンを用いて上記デジタル放送受信機１１５のリモコン受信部１１３へ通知することによって、必要な制御データをメモリカード１０７へ記録することが可能になり、さらに、上記メモリカード１０７を電子加熱調理器１０６のカードスロット部１０９へ挿入することによって、電子加熱調理器１０６を所望の動作をするように操作させることができる。従って、使用者は、容易に必要な制御データを入手することができるとともに、メモリカード１０７をカードスロット１０９へ挿入するという簡単な操作によって、電子加熱調理器１０６を所望の動作へ操作させることができる。
【００１７】
実施の形態２．
実施の形態２では、デジタル放送を受信して、デジタル放送に含まれる食材データを制御データとしてメモリカードに記憶させるデジタル放送受信機と、上記メモリカードに記憶された上記食材データを取得して、携帯電話に買物情報を表示する手段を備えたデジタル放送利用システムについて説明する。
【００１８】
図４は、この発明の情報家電を接続するデジタル放送受信機の実施の形態の構成の一例として、携帯電話を含んだシステムの構成図である。
図５は、本発明の実施の形態２に係る食材データの受信動作を示すチャートである。
図６は、本発明の実施の形態２における携帯電話の画面表示（レシピ情報）である。
図７は、本発明の実施の形態２における携帯電話の画面表示（食材情報）である。
【００１９】
図４のシステムは、データ放送（料理番組）の料理番組を使用者に提示するデジタル放送受信機２１５と、各種の買物リストを表示する携帯電話２０６と、食材データ２５２を通信するメモリカード２０７から構成される。
【００２０】
デジタル放送受信機２１５は、受信部２１２、全体制御部２１１、表示部２１０、カードスロット部２０９、リモコン受信部２１３およびテレビリモコン２１４から構成される。
受信部２１２は、デジタル放送波を受信して、ビデオ、オーディオおよびデータ放送のコンテンツをデコードする。
全体制御部２１１は、受信デジタル放送受信機内のデータフローを制御する。表示部２１０は、ビデオ、オーディオおよびデータ放送のコンテンツを表示する。
カードスロット部２０９は、メモリカード２０７に食材データ２５２を登録する。
リモコン受信部２１３は、テレビリモコン２１４からのユーザ操作を全体制御部に通知する。
デジタル放送受信機２１５は、受信部２１２で受信したデータ放送番組のコンテンツから、使用者がテレビリモコン２１４で入力した料理名（料理名入力２５０によって入力）に従って、所要の食材データ２５２をメモリカード２０７にダウンロードし、これらのデータフローは全体制御部２１１によって制御される。
【００２１】
携帯電話２０６は、制御部２０２、表示部２０３、操作部２０４およびカードスロット部２０５から構成される。
制御部２０２は、メモリスロット経由でメモリカードからのアップロードを制御する。
表示部２０３は、使用する食材名や数量の情報などを画面表示する。
操作部２０４は、料理名を使用者が指定するために操作される。
カードスロット部２０５は、食材データ２５２をメモリカード２０７にアップロードする。
携帯電話２０６は、メモリカード２０７からアップロードした食材データ２５２に従って、制御部２０２が表示部２０３に、購入すべき食材リストを表示する。
【００２２】
図６は、食材データ２５２に基づいて、レシピ情報を表示した例であり、この表示画面から図７に一例として示す食材情報へ展開する。図６及び図７の画面表示は、制御部２０２の制御によって、表示部２０３が表示する。
制御部２０２は、制御データの一例である食材データに基づいて、上記表示部２０３を制御して食材リスト（買い物リスト）（図６、図７が一例）を表示させる。具体的には、制御部２０２は、食材データを表示する指示を出すとともに、食材データを上記表示部２０３へ通知する。表示部２０３は、通知された食材データを表示する操作を実施する。
【００２３】
このように、使用者は、テレビリモコン２１４を用いてデジタル放送受信機２１５のリモコン受信部２１３へ料理名を入力することによって、携帯電話２０６に表示できる食材リストを取得することができる。従って、使用者は、料理名を入力するという簡易な操作によって食材リストを取得することが可能となる。
【００２４】
実施の形態３．
実施の形態１では、電子加熱調理器を用いた例を説明し、実施の形態２では、携帯電話を用いた例を説明した。
しかしながら、デジタル放送利用システム及びデジタル放送利用方法は、デジタル放送を受信するデジタル放送受信機と、上記デジタル放送を利用して所定の機能を実行する利用装置との組合せに適用することができる。
上記利用装置は、電子加熱調理器と携帯電話とに限られることはない。
上記デジタル放送受信機と上記利用装置との間は、着脱可能な記録媒体を用いて制御データをやり取りする（転送する）。実施の形態１及び実施の形態２のメモリカード１０７、２０７は、上記記録媒体の一例である。上記記録媒体は、メモリカードに限られることはない。持ち運び（携帯あるいは移動）が可能であり、上記デジタル放送受信機及び上記利用装置に装着でき、アクセス（読み書き）できる記録媒体であればよい。記録媒体は、例えば、フレキシブルディスク、光ディスク、光磁気ディスク等であってもかまわない。
【００２５】
また、上記デジタル放送受信機は、デジタル放送を受信する受信部と、上記記録媒体を装着し、上記受信部が受信したデジタル放送から上記利用装置が利用する制御データを抽出し、抽出した制御データを上記記録媒体へ記録する記録部と、上記利用装置の機種を特定する機種種別（機種名）と、取得したいデジタル放送の種別を特定する放送種別（料理名は、一例）とを入力する入力部（リモコン受信部は、一例）とを備える。
上記記録部は、実施の形態１及び実施の形態２では、カードスロット部と全体制御部とによって実現している。
また、上記入力部が入力する機種種別と放送種別とは一例であり、また、放送種別のみ入力する場合であってもよい。
また、使用者が放送種別等を入力する手段として、テレビリモコンは一例であり、他の手段、例えば、操作パネル等であってもよい。デジタル放送受信機が携帯電話から送信されるデータを受信する機能を備えるようにした場合、携帯電話を入力する手段としてもよい。
【００２６】
また、上記利用装置は、上記所定の機能を実行する機能実行部と、上記デジタル放送受信機の記録部から取りはずした上記記録媒体を装着し、上記記録媒体に記録された制御データを読み出す読み出し部と、上記読み出した制御データに基づいて、上記機能実行部を制御して、上記所定の機能を実行させる制御部とを備える。
上記利用装置は、家庭用電化製品を含む。また、上記機能を有する装置であれば、パーソナルコンピュータ（情報処理端末）、モバイル端末等情報を処理する装置も含まれる。また、電話機、ファクシミリ機、その他の電化製品であってもかまわない。
機能実行部は、各種の利用装置が実施する機能を実現する構成要素であり、実施の形態１では、負荷部１０１（表示する機能も制御する場合は、表示部１０３も含まれる）に相当し、実施の形態２では、表示部２０３に相当する。
また、読み出し部は、実施の形態１及び実施の形態２では、カードスロット部に相当する。
【００２７】
上記利用装置は、例えば、調理用の電気コンロ、電子レンジ、電気オーブン等であってもよい。料理名を指定した制御データを上記記録媒体へ記録することによって、指定した料理に適切な加熱を実施させることが可能となる。
【００２８】
実施の形態４．
上記の実施の形態では、メモリカードをデジタル放送受信機と利用装置（一例として、電子加熱調理器、携帯電話）との間を移動させる例を説明した。しかしながら、デジタル放送受信機から利用装置へ、ケーブル等の有線を介して制御データを転送する仕組みであってもかまわない。さらに、無線通信によって、デジタル放送受信機から利用装置へ制御データを転送する場合であってもよい。
このような場合、デジタル放送受信機と利用装置との間で、データを送受信する仕組み（通信部）が備えられていればよい。
【００２９】
【発明の効果】
以上のように、この発明によれば、情報家電を操作する際に、デジタル放送で取得した情報家電の制御情報をその都度に手作業で入力し直す必要がなく、使用者に負担がかからないシステムを提供することができる。
【図面の簡単な説明】
【図１】本発明の実施の形態１における情報家電を接続するデジタル放送受信機のシステムの構成図である。
【図２】本発明の実施の形態１における調理データの受信動作を示すチャートである。
【図３】上記メモリカード１０７に記録される制御データの一例である。
【図４】本発明の実施の形態２における情報家電を接続するデジタル放送受信機のシステムの構成図である。
【図５】本発明の実施の形態２における材データの受信動作を示すチャートである。
【図６】本発明の実施の形態２における携帯電話の画面表示（レシピ情報）である。
【図７】本発明の実施の形態２における携帯電話の画面表示（食材情報）である。
【符号の説明】
１０１  負荷部、１０２  制御部、１０３  表示部、１０４  操作部、１０５カードスロット部、１０６  電子加熱調理器、１０９  カードスロット部、１１０  表示部、１１１  全体制御部、１１２  受信部、１１３  リモコン受信部、１１４  テレビリモコン、１１５  デジタル放送受信機、１５０  料理名入力、１５１  機種名入力、１５２  調理データ、１５３  調理シーケンス、２０２制御部、２０３  表示部、２０４  操作部、２０５  カードスロット部、２０６  携帯電話、２０９  カードスロット部、２１０  表示部、２１１  全体制御部、２１２  受信部、２１３  リモコン受信部、２１４  テレビリモコン、２１５  デジタル放送受信機、２５０  料理名入力、２５２  食材データ、２５３  食材データ提示、２７０  液晶画面、２７１  料理名欄、２７２  食材データ欄、２８０  食材名、２８１  食材写真、２８２  購入情報。
【図１】
2004184043.tif 000003
【図２】
2004184043.tif 000004
【図３】
2004184043.tif 000005
【図４】
2004184043.tif 000006
【図５】
2004184043.tif 000007
【図６】
2004184043.tif 000008
【図７】
2004184043.tif 000009